(57)【要約】  【課題】ほうれん草のような葉野菜の栽培に土壌冷却の手法を採り、併せて燃焼ガスを有効利用することで、葉野菜の生育促進と環境浄化を図る。  【解決手段】野菜３を栽培する土壌１の中にパイプ４を埋め込み、このパイプ４に冷却水を供給する構造によると、野菜の発育に適した土壌温に冷却され、しかも冷却水配管４の結露を利用して、灌水量を削減できるので、省力化される。また、土壌１上のガス配管５に開けた側孔から燃焼ガスが吹き出すことにより、ガス式の冷却装置から出る燃焼ガスすなわちＣＯ2 を、野菜３の葉に供給するので、光合成が進んで野菜の生育が促され、高品質で安価な野菜を提供できるが、土壌１の冷却で前記の燃焼ガス管５も冷却されるので、燃焼ガスで土壌１が加熱されたり土壌１上の大気が加熱されるのを防止できる。【選択図】図２
2015002741.tif 000002
【特許請求の範囲】
【請求項１】
土壌を冷却するガス式の冷却手段から出る燃焼ガスを、土壌から離して設けたガス管で野菜の葉に供給できるように配管してなることを特徴とする栽培装置。
【請求項２】
前記燃焼ガスの排出口と野菜の葉との間に濾過手段を配設したことを特徴とする請求項１に記載の栽培装置。
【請求項３】
前記野菜を栽培する土壌の中に、冷却水を供給するパイプを埋め込み、この冷却パイプの上の土壌を機械で攪拌して堆肥を撒く構造であることを特徴とする請求項１又は請求項２に記載の栽培装置。
【請求項４】
前記野菜を栽培するハウスは、人が入れない小型のサイズをしており、前記小型のハウスが単一で又は複数まとめて、人が入れるサイズのハウスで囲ってあることを特徴とする請求項１、請求項２又は請求項３に記載の栽培装置。
【請求項５】
前記冷却水の通るパイプは、塩化ビニール管であることを特徴とする請求項３又は請求項４に記載の栽培装置。
【発明の詳細な説明】
【技術分野】
【０００１】
本発明は、ほうれん草のような葉野菜の栽培に冷却手段による土壌冷却の手法を採り、併せてガスヒートポンプ等の冷却手段の燃焼ガスを有効利用することで、葉野菜の生育促進と環境浄化を図るものである。
【背景技術】
【０００２】
ほうれん草などは、暑い夏期には栽培できないため、価格の高騰を来したり、入荷不能となる。特に、気温の高い状態が続く沖縄地域では深刻な問題である。  これに対し、特許文献１のように、ビニールシート等で天井と側壁を囲ったハウス内において、土壌の中にパイプを埋め込み、このパイプ中に冷却水を循環させる栽培方法を採用すると、前記のような問題は緩和されるが、燃料費などを加味すると高価となることは否めない。
【先行技術文献】
【特許文献】
【０００３】
【特許文献１】特開平６−１９７６４５
【発明の概要】
【発明が解決しようとする課題】
【０００４】
特許文献１の手法では、水を冷却するための装置が必要となるが、その燃焼ガスを捨てているため、地球温暖化の誘因となるたけで、好ましくない。ところで、燃焼ガスにはＣＯ2 が含まれているが、ほうれん草などの植物は、光合成にこのＣＯ2 を必要としている。
本発明の技術的課題は、このような問題に着目し、土壌冷却用の冷却装置が出す燃焼ガスのＣＯ2 を有効利用して葉野菜の光合成に活用し、発育を促すと共に害虫を防止することにある。
【課題を解決するための手段】
【０００５】
請求項１は、土壌を冷却するガス式の冷却装置から出る燃焼ガスを、土壌から離して設けたガス管で野菜の葉に供給できるように配管してなることを特徴とする栽培装置である。野菜の生えている土壌から離して上方にパイプを配管し、この配管に開けた孔から燃焼ガスが吹き出す構造により、容易に燃焼ガスを供給できる。
【０００６】
請求項２は、前記燃焼ガスの排出口と野菜との間に濾過手段を配設したことを特徴とする請求項１に記載の栽培装置である。
【０００７】
請求項３は、前記野菜を栽培する土壌の中に、冷却水を供給するパイプを埋め込み、この冷却パイプの上の土壌を機械で攪拌して堆肥を撒く構造であることを特徴とする請求項１又は請求項２に記載の栽培装置である。
【０００８】
請求項４は、前記野菜を栽培するハウスは、人が入れない小型のサイズをしており、前記小型のハウスが単一で又は複数まとめて、人が入れるサイズのハウスで囲ってあることを特徴とする請求項１、請求項２又は請求項３に記載の栽培装置である。
【０００９】
請求項５は、前記冷却水の通るパイプが塩化ビニール管であることを特徴とする請求項３又は請求項４に記載の栽培装置である。
【発明の効果】
【００１０】
請求項１の記載によると、土壌から離して設けた配管に開けた孔から燃焼ガスが吹き出すことにより、土壌を冷却するガス式の冷却装置から出る燃焼ガスすなわちＣＯ2 を、野菜の葉に供給するので、光合成が進んで野菜の生育が促され、高品質で安価な野菜を提供できる。しかも、ＣＯ2 は動物には有害なので、農薬を使用せずに害虫を駆除できる。さらに、地球温暖化の要因となるＣＯ2 を抑制して、野菜などの緑を増やすので、環境改善に繋がり、イメージアップにもなる。また、ＣＯ2 を外部に排出しないので、カーボン・オフセット取り引きにも有利である。
【００１１】
請求項２の記載によると、前記燃焼ガスの排出口と野菜との間に濾過手段を配設して、燃焼ガスを濾過するので、燃焼ガスに含まれている煤や有害物質が濾過され、野菜の品質を低下させたりイメージを悪くする恐れがない。
【００１２】
請求項３の記載によると、前記野菜を栽培する土壌の中に、冷却水を供給するパイプを埋め込み、このパイプを埋めた土壌を機械で攪拌して堆肥を土壌と混ぜる構造によると、野菜の発育に適した土壌温に冷却され、しかも冷却水配管の結露を利用して、灌水量を削減できるので、省力化される。
【００１３】
請求項４の記載によると、前記野菜を栽培するハウスは、人が入れない小型のサイズをしているので、ハウス内を容易にＣＯ2 ガスで満たすことができ、ＣＯ2 ガスの不足を来すことはなく、円滑に光合成を促進できる。また、前記小型のハウスが単一で又は複数まとめて、人が入れるサイズのハウスで囲ってあるので、土壌が冷却されて土壌の上の室温も円滑に低下すべく、外側のハウスで保冷できる。
【００１４】
請求項５のように、前記冷却水の通るパイプが塩化ビニール管であるから、設備費が安価で足りる。また、これらの材料は高精度に製造できるので、ネジ山を継ぎ目に形成しないでも、単に嵌合させるだけで足りる。
【図面の簡単な説明】
【００１５】
【図１】本発明による野菜の栽培装置の全容を示す斜視図である。
【図２】前記栽培装置を使用した単一の畝部の断面図である。
【図３】前記栽培装置の二重ハウスを示す断面図である。
【発明を実施するための形態】
【００１６】
次に本発明による野菜の栽培方法が実際上どのような装置で具体化されるか実施形態を説明する。図１は、本発明の方法を実施する装置の全容を示す斜視図であり、便宜上、燃焼ガスの流路を太線の破線で示してある。畝１ごとにカバーできる小さなビニールハウス２の中では、ほうれん草などの葉野菜３が２列育っている。
一つの小型ハウス２の中の単一の畝１を断面で示すと、図２のように、畝の土壌１の中に冷却水を通すパイプ４を配管してあり、土壌１の上方では、小型ハウス２の屋根部に、燃焼ガスを通すパイプ５を縛り付けて吊ってある。
本来ほうれん草は直根で地中に成長を促すが、冷却パイプ４に係る成長過程においては、土の深さ８〜１０ｃｍに冷却パイプ４を通し、ほうれん草の根は冷却パイプ４の間をまたいで伸びている。
【００１７】
前記の冷却水パイプ４…の入口端は入口ヘッダー４Ｈに接続され、出口端は出口ヘッダー４ｈにそれぞれ接続されている。そして、入口ヘッダー４Ｈは、ガスヒートポンプ６の熱交換器７に冷却水往路４１で接続して、冷却され、また出口ヘッダー４ｈは、冷却水帰路４２で熱交換器７の帰還口に接続されている。従って、冷却水は、熱交換器７→冷却水往路４１→入口ヘッダー４Ｈ→土壌中の冷却水パイプ４…→出口ヘッダー４ｈ→冷却水帰路４２→熱交換器７の順に循環し、土壌１中を常時冷却する。すなわち、各冷却水パイプ４…の一端は入口ヘッダー４Ｈに接続され、他端は出口ヘッダー４ｈに接続されている。なお、熱交換器７とガスヒートポンプ６との間は、冷媒が循環している。
【００１８】
土壌１の上方で、小型ハウス２の屋根部内に、燃焼ガスを通すパイプ５を縛り付けてあるが、この燃焼ガス管５は、各畝１…上を経由できるように直列に配管され、しかもその入口端は、鎖線で示す入口ヘッダー５Ｈ中のフィルターを介して、燃焼ガス管５１で、ガスヒートポンプ６の燃焼ガス排出口に接続されている。また、出口端５２は、大気に解放してある。
８は燃料ガスタンクであり、前記ガスヒートポンプ６の燃料ガスが蓄えられている。
いま、このガスヒートポンプ６が稼働して、冷却水がパイプ４…中を循環すると、畝の土壌１が冷却されることで、野菜３の生育に適した温度、例えば１５〜２０°Ｃに保たれる。
しかも、野菜３の葉に向けて、燃焼ガス管５の小孔５３…から清浄な燃焼ガスが吹き付けられる。その結果、燃焼ガス中のＣＯ2 と日光が作用して、葉で光合成が行われ、野菜３の生育を促進する。
【００１９】
冷却水の通るパイプ４…は、銅管、綱管、ステンレス鋼管又は塩化ビニール管を利用すると好都合である。これらの材質は、予め熱膨張率が判明しているので、間隔や配置を正確に設定できる。また、これらの材料は高精度に製造できるので、ネジ山を継ぎ目に形成してネジ結合する必要はなく、単に嵌合い嵌合させるだけで足り、着脱もワンタッチでできる。しかし、価額的には合成樹脂製の配管が適しており、現実には塩化ビニール管が利用される。しかも、冷却水パイプ４…が埋まっている土壌１に堆肥をレーキなどの農機で混ぜ込む際に、農機の刃などが万一衝突しても、合成樹脂製の配管４…が損傷せず、強度も充分である。
なお、台風や竜巻に遭遇した場合を想定して、雨よけトンネルハウス２の固定部に螺旋状の杭を使用すると、より確実に固定てきる。
【００２０】
このように、堆肥を畑に撒くときは、畑全体に撒くより、畝だけに撒くのがお勧めである。堆肥の量を節約出来るからである。
畝の表面に堆肥を撒いたら、レーキなどの農機具を用いてざっくりと土に馴染ませる。下限１０〜１５ｃｍの深くまですきこむ必要が無く、空気すなわち酸素が届く表層（５〜７ｃｍ）に混ぜておくだけで足りる。好気性の微生物が盛んに活動するようになり、成長には良いからである。
従って、ほうれん草などの葉野菜を栽培する場合は、冷却パイプ４を８〜１０ｃｍの深さに埋設し、その上側を農機が通過して、５〜７ｃｍの深さまで攪拌できれば足りる。
【００２１】
図３は、大人ｍが立って入れるような普通のビニールハウス９で、前記の小型ハウス２…を囲うことで、小型ハウス２…内の気温が上昇するのを防いでいる。すなわち、前記小型のハウス２が単一で又は複数まとめて、人が入れるサイズのハウス９で囲ってあるので、土壌が冷却パイプ４…で冷却され、土壌１の上の外気温が上昇するのを防いで、土壌１を効果的に冷却できる。例えば、土壌１の表面温度は３０°Ｃで、小型ハウス２の天井付近の温度は３５〜４０°Ｃであった。
前記野菜３を栽培するハウス２は、人が入れない小型のサイズをしているので、ハウス２内をＣＯ2 ガスで満たすのに好都合で、ＣＯ2 ガスの不足を来すことはなく、円滑に光合成を促進できる。従って、ハウス２は、野菜３の栽培に支障を来さない範囲で、出来るだけ小型のサイズが望ましい。ハウス２・２の間は作業道であり、２５〜４０ｃｍ程度である。
【００２２】
燃焼ガスを供給するパイプ５を、土壌１の上に直に載置すると、土壌１が温まる恐れがある。光合成させたい葉の位置が高い場合は、台や脚を介在させて、その上にパイプ５を載せることで、高くすることも可能である。このように燃焼ガスパイプ５を高くしても、温められた空気が下降することはないので、冷却された土壌１で、土壌１上の大気も冷却され、結果的に燃焼ガスパイプ５の中を通る排気ガスも冷却されるので、室温が上昇することはない。
燃焼ガスの出口側に設けるヘッダー５Ｈは、中に入れるフィルターをより大きくするためである。ＰＭ2.５のような微細な粒子が通過不能なフィルターは、ガスが通過する際の抵抗が大きく、燃焼ガスを円滑に排出できなくなる恐れが大きいが、フィルターを大面積にすると、全体の抵抗を小さくできる。
従って、ＰＭ2.５のような微細粒子が燃焼ガスに含まれていない場合は、通過抵抗の小さいフィルターを利用できるので、ヘッダー５Ｈは、必ずしも必要ではない。
【産業上の利用可能性】
【００２３】
以上のように、土壌を冷却するガス式の冷却装置から出る燃焼ガスを、濾過手段を介して、野菜の葉に供給できるように、土壌から離して上方に配管してあるので、冷却装置が出す燃焼ガスのＣＯ2 を有効利用して野菜の光合成に活用てき、かつ害虫を阻止できる。その結果、野菜の発育を促すことができ、安価に良質の野菜を供給できる。
【符号の説明】
【００２４】
１  畝（土壌）
２  小型のビニールハウス
３  野菜
４  冷却水のパイプ
４Ｈ  入口ヘッダー
４ｈ  出口ヘッダー
４１  冷却水往路
４２  冷却水帰路
５  燃焼ガスのパイプ
５Ｈ  入口ヘッダー
５１  燃焼ガスの入口管
５２  燃焼ガスの大気解放管
５３  パイプに開けた小孔
６  ガスヒートポンプ
７  熱交換器
８  燃料ガスタンク
９  人が入れるサイズのビニールハウス
【図１】
2015002741.tif 000003
【図２】
2015002741.tif 000004
【図３】
2015002741.tif 000005
【手続補正書】
【提出日】平成26年9月19日(2014.9.19)
【手続補正１】
【補正対象書類名】特許請求の範囲
【補正対象項目名】全文
【補正方法】変更
【補正の内容】
【特許請求の範囲】
【請求項１】
人が入れない小型のサイズをしたハウスが単一で又は複数まとめて、人が入れるサイズのハウスで囲ってあり、
前記の小型ハウス中の土壌を冷却するガス式の冷却手段から出る燃焼ガスを、前記小型ハウス中において、土壌から離して設けたガス管で、前記小型ハウス中の野菜の葉に供給できるように配管してなることを特徴とする栽培装置。
【請求項２】
前記燃焼ガスの排出口と野菜の葉との間に濾過手段を配設したことを特徴とする請求項１に記載の栽培装置。
【請求項３】
前記小型ハウス中の土壌の中に、冷却水を供給するパイプを埋め込み、この冷却パイプの上の土壌を機械で攪拌して堆肥を撒く構造であることを特徴とする請求項１又は請求項２に記載の栽培装置。
【請求項４】
前記土壌を冷却する冷却水の通るパイプは、塩化ビニール管であることを特徴とする請求項１、請求項２又は請求項３に記載の栽培装置。
【請求項５】
前記のガス管は前記小型ハウスの屋根部の内部に配設してあることを特徴とする請求項１、請求項２、請求項３又は請求項４に記載の栽培装置。
【手続補正２】
【補正対象書類名】明細書
【補正対象項目名】全文
【補正方法】変更
【補正の内容】
【発明の詳細な説明】
【技術分野】
【０００１】
本発明は、ほうれん草のような葉野菜の栽培に冷却手段による土壌冷却の手法を採り、併せてガスヒートポンプ等の冷却手段の燃焼ガスを有効利用することで、葉野菜の生育促進と環境浄化を図るものである。
【背景技術】
【０００２】
ほうれん草などは、暑い夏期には栽培できないため、価格の高騰を来したり、入荷不能となる。特に、気温の高い状態が続く沖縄地域では深刻な問題である。  これに対し、特許文献１のように、ビニールシート等で天井と側壁を囲ったハウス内において、土壌の中にパイプを埋め込み、このパイプ中に冷却水を循環させる栽培方法を採用すると、前記のような問題は緩和されるが、燃料費などを加味すると高価となることは否めない。
【先行技術文献】
【特許文献】
【０００３】
【特許文献１】特開平６−１９７６４５
【発明の概要】
【発明が解決しようとする課題】
【０００４】
特許文献１の手法では、水を冷却するための装置が必要となるが、その燃焼ガスを捨てているため、地球温暖化の誘因となるたけで、好ましくない。ところで、燃焼ガスにはＣＯ2 が含まれているが、ほうれん草などの植物は、光合成にこのＣＯ2 を必要としている。
本発明の技術的課題は、このような問題に着目し、土壌冷却用の冷却装置が出す燃焼ガスのＣＯ2 を有効利用して葉野菜の光合成に活用し、発育を促すと共に害虫を防止することにある。
【課題を解決するための手段】
【０００５】
請求項１の記載は、人が入れない小型のサイズをしたハウスが単一で又は複数まとめて、人が入れるサイズのハウスで囲ってある。そして、前記の小型ハウス中の土壌を冷却するガス式の冷却手段から出る燃焼ガスを、前記小型ハウス中において、土壌から離して設けたガス管で、前記小型ハウス中の野菜の葉に供給できるように配管してなることを特徴とする栽培装置である。
【０００６】
請求項２は、前記燃焼ガスの排出口と野菜との間に濾過手段を配設したことを特徴とする請求項１に記載の栽培装置である。
【０００７】
請求項３は、前記小型ハウス中の土壌の中に、冷却水を供給するパイプを埋め込み、この冷却パイプの上の土壌を機械で攪拌して堆肥を撒く構造であることを特徴とする請求項１又は請求項２に記載の栽培装置である。
【０００８】
請求項４は、前記土壌を冷却する冷却水の通るパイプは、塩化ビニール管であることを特徴とする請求項１、請求項２又は請求項３に記載の栽培装置である。
【０００９】
請求項５は、前記のガス管は前記小型ハウスの屋根部の内部に配設してあることを特徴とする請求項１、請求項２、請求項３又は請求項４に記載の栽培装置である。
【発明の効果】
【００１０】
請求項１の記載によると、土壌から離して設けた配管に開けた孔から燃焼ガスが吹き出すことにより、土壌を冷却するガス式の冷却装置から出る燃焼ガスすなわちＣＯ2 を、野菜の葉に供給するので、光合成が進んで野菜の生育が促され、高品質で安価な野菜を提供できる。しかも、ＣＯ2 は動物には有害なので、農薬を使用せずに害虫を駆除できる。さらに、地球温暖化の要因となるＣＯ2 を抑制して、野菜などの緑を増やすので、環境改善に繋がり、イメージアップにもなる。また、ＣＯ2 を外部に排出しないので、カーボン・オフセット取り引きにも有利である。
加えて、前記野菜を栽培するハウスは、人が入れない小型のサイズをしているので、ハウス内を容易にＣＯ2 ガスで満たすことができ、ＣＯ2 ガスの不足を来すことはなく、円滑に光合成を促進できる。また、前記小型のハウスが単一で又は複数まとめて、人が入れるサイズのハウスで囲ってあるので、土壌が冷却されて土壌の上の室温も円滑に低下すべく、外側のハウスで保冷できる。
【００１１】
請求項２の記載によると、前記燃焼ガスの排出口と野菜との間に濾過手段を配設して、燃焼ガスを濾過するので、燃焼ガスに含まれている煤や有害物質が濾過され、野菜の品質を低下させたりイメージを悪くする恐れがない。
【００１２】
請求項３の記載によると、前記小型ハウス中の土壌の中に、冷却水を供給するパイプを埋め込み、このパイプを埋めた土壌を機械で攪拌して堆肥を土壌と混ぜる構造によると、野菜の発育に適した土壌温に冷却され、しかも冷却水配管の結露を利用して、灌水量を削減できるので、省力化される。
【００１３】
請求項４に記載のように、前記土壌を冷却する冷却水の通るパイプは、塩化ビニール管であるから、設備費が安価で足りる。また、これらの材料は高精度に製造できるので、ネジ山を継ぎ目に形成しないでも、単に嵌合させるだけで足りる。
【００１４】
請求項５のように、前記のガス管は前記小型ハウスの屋根部の内部に配設してあるので、段落「0016」に記載のように、土壌１の上方では、小型ハウス２の屋根部に、燃焼ガスを通すパイプ５を縛り付けて吊ってある。
【図面の簡単な説明】
【００１５】
【図１】本発明による野菜の栽培装置の全容を示す斜視図である。
【図２】前記栽培装置を使用した単一の畝部の断面図である。
【図３】前記栽培装置の二重ハウスを示す断面図である。
【発明を実施するための形態】
【００１６】
次に本発明による野菜の栽培方法が実際上どのような装置で具体化されるか実施形態を説明する。図１は、本発明の方法を実施する装置の全容を示す斜視図であり、便宜上、燃焼ガスの流路を太線の破線で示してある。畝１ごとにカバーできる小さなビニールハウス２の中では、ほうれん草などの葉野菜３が２列育っている。
一つの小型ハウス２の中の単一の畝１を断面で示すと、図２のように、畝の土壌１の中に冷却水を通すパイプ４を配管してあり、土壌１の上方では、小型ハウス２の屋根部に、燃焼ガスを通すパイプ５を縛り付けて吊ってある。
本来ほうれん草は直根で地中に成長を促すが、冷却パイプ４に係る成長過程においては、土の深さ８〜１０ｃｍに冷却パイプ４を通し、ほうれん草の根は冷却パイプ４の間をまたいで伸びている。
【００１７】
前記の冷却水パイプ４…の入口端は入口ヘッダー４Ｈに接続され、出口端は出口ヘッダー４ｈにそれぞれ接続されている。そして、入口ヘッダー４Ｈは、ガスヒートポンプ６の熱交換器７に冷却水往路４１で接続して、冷却され、また出口ヘッダー４ｈは、冷却水帰路４２で熱交換器７の帰還口に接続されている。従って、冷却水は、熱交換器７→冷却水往路４１→入口ヘッダー４Ｈ→土壌中の冷却水パイプ４…→出口ヘッダー４ｈ→冷却水帰路４２→熱交換器７の順に循環し、土壌１中を常時冷却する。すなわち、各冷却水パイプ４…の一端は入口ヘッダー４Ｈに接続され、他端は出口ヘッダー４ｈに接続されている。なお、熱交換器７とガスヒートポンプ６との間は、冷媒が循環している。
【００１８】
土壌１の上方で、小型ハウス２の屋根部内に、燃焼ガスを通すパイプ５を縛り付けてあるが、この燃焼ガス管５は、各畝１…上を経由できるように直列に配管され、しかもその入口端は、鎖線で示す入口ヘッダー５Ｈ中のフィルターを介して、燃焼ガス管５１で、ガスヒートポンプ６の燃焼ガス排出口に接続されている。また、出口端５２は、大気に解放してある。
８は燃料ガスタンクであり、前記ガスヒートポンプ６の燃料ガスが蓄えられている。
いま、このガスヒートポンプ６が稼働して、冷却水がパイプ４…中を循環すると、畝の土壌１が冷却されることで、野菜３の生育に適した温度、例えば１５〜２０°Ｃに保たれる。
しかも、野菜３の葉に向けて、燃焼ガス管５の小孔５３…から清浄な燃焼ガスが吹き付けられる。その結果、燃焼ガス中のＣＯ2 と日光が作用して、葉で光合成が行われ、野菜３の生育を促進する。
【００１９】
冷却水の通るパイプ４…は、銅管、綱管、ステンレス鋼管又は塩化ビニール管を利用すると好都合である。これらの材質は、予め熱膨張率が判明しているので、間隔や配置を正確に設定できる。また、これらの材料は高精度に製造できるので、ネジ山を継ぎ目に形成してネジ結合する必要はなく、単に嵌合い嵌合させるだけで足り、着脱もワンタッチでできる。しかし、価額的には合成樹脂製の配管が適しており、現実には塩化ビニール管が利用される。しかも、冷却水パイプ４…が埋まっている土壌１に堆肥をレーキなどの農機で混ぜ込む際に、農機の刃などが万一衝突しても、合成樹脂製の配管４…が損傷せず、強度も充分である。
なお、台風や竜巻に遭遇した場合を想定して、雨よけトンネルハウス２の固定部に螺旋状の杭を使用すると、より確実に固定てきる。
【００２０】
このように、堆肥を畑に撒くときは、畑全体に撒くより、畝だけに撒くのがお勧めである。堆肥の量を節約出来るからである。
畝の表面に堆肥を撒いたら、レーキなどの農機具を用いてざっくりと土に馴染ませる。下限１０〜１５ｃｍの深くまですきこむ必要が無く、空気すなわち酸素が届く表層（５〜７ｃｍ）に混ぜておくだけで足りる。好気性の微生物が盛んに活動するようになり、成長には良いからである。
従って、ほうれん草などの葉野菜を栽培する場合は、冷却パイプ４を８〜１０ｃｍの深さに埋設し、その上側を農機が通過して、５〜７ｃｍの深さまで攪拌できれば足りる。
【００２１】
図３は、大人ｍが立って入れるような普通のビニールハウス９で、前記の小型ハウス２…を囲うことで、小型ハウス２…内の気温が上昇するのを防いでいる。すなわち、前記小型のハウス２が単一で又は複数まとめて、人が入れるサイズのハウス９で囲ってあるので、土壌が冷却パイプ４…で冷却され、土壌１の上の外気温が上昇するのを防いで、土壌１を効果的に冷却できる。例えば、土壌１の表面温度は３０°Ｃで、小型ハウス２の天井付近の温度は３５〜４０°Ｃであった。
前記野菜３を栽培するハウス２は、人が入れない小型のサイズをしているので、ハウス２内をＣＯ2 ガスで満たすのに好都合で、ＣＯ2 ガスの不足を来すことはなく、円滑に光合成を促進できる。従って、ハウス２は、野菜３の栽培に支障を来さない範囲で、出来るだけ小型のサイズが望ましい。ハウス２・２の間は作業道であり、２５〜４０ｃｍ程度である。
【００２２】
燃焼ガスを供給するパイプ５を、土壌１の上に直に載置すると、土壌１が温まる恐れがある。光合成させたい葉の位置が高い場合は、台や脚を介在させて、その上にパイプ５を載せることで、高くすることも可能である。このように燃焼ガスパイプ５を高くしても、温められた空気が下降することはないので、冷却された土壌１で、土壌１上の大気も冷却され、結果的に燃焼ガスパイプ５の中を通る排気ガスも冷却されるので、室温が上昇することはない。
燃焼ガスの出口側に設けるヘッダー５Ｈは、中に入れるフィルターをより大きくするためである。ＰＭ2.５のような微細な粒子が通過不能なフィルターは、ガスが通過する際の抵抗が大きく、燃焼ガスを円滑に排出できなくなる恐れが大きいが、フィルターを大面積にすると、全体の抵抗を小さくできる。
従って、ＰＭ2.５のような微細粒子が燃焼ガスに含まれていない場合は、通過抵抗の小さいフィルターを利用できるので、ヘッダー５Ｈは、必ずしも必要ではない。
【産業上の利用可能性】
【００２３】
以上のように、土壌を冷却するガス式の冷却装置から出る燃焼ガスを、濾過手段を介して、野菜の葉に供給できるように、土壌から離して上方に配管してあるので、冷却装置が出す燃焼ガスのＣＯ2 を有効利用して野菜の光合成に活用てき、かつ害虫を阻止できる。その結果、野菜の発育を促すことができ、安価に良質の野菜を供給できる。
【符号の説明】
【００２４】
１  畝（土壌）
２  小型のビニールハウス
３  野菜
４  冷却水のパイプ
４Ｈ  入口ヘッダー
４ｈ  出口ヘッダー
４１  冷却水往路
４２  冷却水帰路
５  燃焼ガスのパイプ
５Ｈ  入口ヘッダー
５１  燃焼ガスの入口管
５２  燃焼ガスの大気解放管
５３  パイプに開けた小孔
６  ガスヒートポンプ
７  熱交換器
８  燃料ガスタンク
９  人が入れるサイズのビニールハウス